(57)【要約】【課題】構成部品の耐久性能を向上させたアイロン装置を提供する。【解決手段】ヒータ１によって加熱されるベース２と、前記ベース２の上方に配設した把手３と、前記ヒータ１に給電するための電源コード４と、前記把手３の後部に取着され、かつ、前記電源コード４を収納するコードリール装置５とを備え、前記コードリール装置５は、前記電源コード４を巻取るリール６、６ａと、前記リール６、６ａを回動自在に収納するリールケース７、７ｂとを具備し、前記リールケース７の一部を後方に突出させたもので、ヒール状態にしたときに、突出した部分（突出部７ｃ）によりリールケース７と床面（図示せず）との間に十分な空気層が確保されて、コードリール装置５内部の温度を低減させることができ、コードリール機構の耐久性を向上させたアイロン装置を提供することができる。【選択図】図１
2007313067.tif 000002
【特許請求の範囲】
【請求項１】
ヒータによって加熱されるベースと、前記ベースの上方に配設した把手と、前記ヒータに給電するための電源コードと、前記把手の後部に取着され、かつ、前記電源コードを収納するコードリール装置とを備え、前記コードリール装置は、前記電源コードを巻取るリールと、前記リールを回動自在に収納するリールケースとを具備し、前記リールケースの一部を後方に突出させたアイロン装置。
【請求項２】
リールケースの下部を突出させた請求項１に記載のアイロン装置。
【発明の詳細な説明】
【技術分野】
【０００１】
本発明は、衣類等のしわ伸ばしに用いられるアイロン装置に関するものである。
【背景技術】
【０００２】
従来、この種のアイロン装置は、後部にコードリールを備え、アイロン装置をヒール状態で載置したときに、床面との空間が少ないために、コードリール内部の温度が下がり難い構造となっていた（例えば、特許文献１参照）。
【０００３】
図３は、上記特許文献１に記載された従来のアイロン装置の断面図を示すもので、以下その構成について説明する。
【０００４】
図３において、従来のアイロン装置は、ヒータ（図示せず）を埋設しているベース（図示せず）と、ベースの上方に配設された把手２１と、前記把手２１の後部に取着され、かつ、コード２２を出没自在に収納するコードリール装置２３とを備えている。前記コードリール装置２３は、コード２２を巻取る回動自在なリール２４を有し、前記コードリール装置２３をコンパクトにするためリール２４は、アイロンかけに必要な長さ、すなわち２ｍ前後のコード２２を巻取るために、コード２２の巻取りをスムースに行ない、かつコード２２が複数列巻けるように幅広くしており、一方のリールケース２５の軸部２５ａに保持されている。
【０００５】
また、リールケース２５とリール２４の間にゼンマイ２６を介在させ、前記コード２２が自動的に巻取られる方向に付勢するものである。さらに、ロック金具３０をリールケース２５ｂの把手２１側に配設しており、前記リール２４のストッパー部３１に位置するようにバネ３２によって常に一方向に付勢され、他端は、把手２１後方中空部に位置させている。ロック金具３０を押し下げる押圧部３３を一体に形成した巻取りボタン３４をリールケース２５ｂ上部、把手２１取り付け面側に配設し、バネ３５によってロック金具３０から離れる方向に付勢している。
【特許文献１】特開２００３−７１１９７号公報
【発明の開示】
【発明が解決しようとする課題】
【０００６】
しかしながら、このような従来のアイロン装置では、アイロン装置をヒール状態に載置したときに、リースケース２５の面と床面との間に空気層がなく、アイロン装置の使用中に加熱したコードリール装置２３内部の冷却効果が低くなり、樹脂で構成された軸部２５ａなどの耐久性能を低下させるという課題があった。
【０００７】
本発明は、上記従来の課題を解決するもので、アイロン装置をヒール状態にさせたときにリールケースと床面の間に十分な空気層を確保して、構成部品の耐久性能を向上させたアイロン装置を提供することを目的としている。
【課題を解決するための手段】
【０００８】
前記従来の課題を解決するために、本発明のアイロン装置は、ヒータによって加熱されるベースと、前記ベースの上方に配設した把手と、前記ヒータに給電するための電源コードと、前記把手の後部に取着され、かつ、前記電源コードを収納するコードリール装置とを備え、前記コードリール装置は、前記電源コードを巻取るリールと、前記リールを回動自在に収納するリールケースとを具備し、前記リールケースの一部を後方に突出させたもので、ヒール状態にしたときに、突出した部分によりリールケースと床面との間に十分な空気層が確保されて、コードリール装置内部の温度を低減させることができ、コードリール機構の耐久性を向上させたアイロン装置を提供することができる。
【発明の効果】
【０００９】
本発明のアイロン装置は、ヒール状態にしたときにリールケースと床面との間に十分な空気層を確保して、コードリール装置内部の温度を低減させることができ、コードリール機構の耐久性を向上させたアイロン装置を提供することができる。
【発明を実施するための最良の形態】
【００１０】
第１の発明は、ヒータによって加熱されるベースと、前記ベースの上方に配設した把手と、前記ヒータに給電するための電源コードと、前記把手の後部に取着され、かつ、前記電源コードを収納するコードリール装置とを備え、前記コードリール装置は、前記電源コードを巻取るリールと、前記リールを回動自在に収納するリールケースとを具備し、前記リールケースの一部を後方に突出させたもので、ヒール状態にしたときに、突出した部分によりリールケースと床面との間に十分な空気層が確保されて、コードリール装置内部の温度を低減させることができ、コードリール機構の耐久性を向上させたアイロン装置を提供することができる。
【００１１】
第２の発明は、特に、第１の発明のリールケースの下部を突出させたもので、ヒール状態にしたときにベース側のリールケースと床面との間に十分な空気層を確保して、コードリール装置内部の温度を効率よく低減させることができ、コードリール機構の耐久性を向上させたアイロン装置を提供することができる。
【００１２】
以下、本発明の実施の形態について、図面を参照しながら説明する。また、この実施の形態によって本発明が限定されるものではない。
【００１３】
（実施の形態１）
図１は、本発明の第１の実施の形態におけるアイロン装置の要部断面図、図２は、同アイロン装置をヒール状態に載置した図である。
【００１４】
図１、２において、本実施の形態におけるアイロン装置は、ヒータ１によって加熱されるベース２と、前記ベース２の上方に配設した把手３と、前記ヒータ１に給電するための電源コード４と、前記把手３の後部に取着され、かつ、前記電源コード４を出没自在に収納するコードリール装置５とを具備し、前記コードリール装置５は、前記電源コード４を巻取るリール６、６ａと、前記リール６、６ａを回動自在に収容するリールケース７、７ｂと、リールケース７の下部に後方に突出して形成された突出部７ｃと、置換穴９、９ａを有している。
【００１５】
前記リール６、６ａは、アイロンかけに必要な長さ、すなわち２ｍ前後の電源コード４を巻取るために、電源コード４の巻取りをスムースに行ない、かつ電源コード４が複数列巻けるように幅広く形成されており、リールケース７に一体に形成された軸部７ａに保持されている。また、リールケース７とリール６の間にゼンマイ８を介在させ、前記電源コード４が自動的に巻取られる方向に付勢するものである。
【００１６】
さらに、ロック金具１１を把手３側のリールケース７ｂに配設しており、前記リール６ａのストッパー部６ｂに位置するようにロックレバーバネ１２によって常に一方向に付勢されている。ロック金具１１を押し下げる押圧部１３ａを一体に形成した巻取りボタン１３をリールケース７ｂの上部に配設し、巻取りボタンバネ１５によってロック金具１１から離れる方向に付勢している。
【００１７】
以上のように構成されたアイロン装置の作用、動作について、以下に説明する。
【００１８】
アイロン装置を使用しないときは、電源コード４は、リール６、６ａに巻きつけられてコードリール装置５内にコンパクトに収容されており、プラグ１４のみが引出し口１０から突出している。
【００１９】
電源コード４を引出すときは、プラグ１４を引っ張ることによりゼンマイ８の付勢力に抗してリール６、６ａが回動する。アイロンかけ終了後、電源コード４を収納するために、巻取りボタン１３を押すと、ロックレバーバネ１２に抗して押し下げられた巻取りボタン１３の押圧部１３ａによりロック金具１１は矢印Ｃ方向に動いてストッパー６ｂから外れる。そしてリール６、６ａは規制を解かれて回動し、電源コード４を巻付けながら収容することができる。
【００２０】
アイロン装置の使用中は、電源コード４を任意の長さに引出した後、図２に示すようにヒール状態（コードリール装置５を下にしてアイロン装置を立てた状態）で待機となる。このとき、コードリール装置５内部の温度は、ヒータ１からの熱と、蒸気の浸入により上昇するが、リールケース７の後部に設けた突出部７ｃにより、床面との間に空気層１６が確保され、常に新鮮な空気に触れることからコードリール装置５の内部を冷却することができる。
【００２１】
またリールケース７下部に設けた置換穴９と後部に設けた置換穴９ａにより、より一層の冷却効果を高めることができる。これにより、構成部品の耐摩耗性を向上させると共に、構成部品の熱変形や熱劣化を防止することができ、コードリール装置５の耐久性を向上させたアイロン装置を提供することができる。
【産業上の利用可能性】
【００２２】
以上のように、本発明にかかるアイロン装置は、ヒール状態にしたときにリールケースと床面との間に十分な空気層を確保して、コードリール装置内部の温度を低減させ、コードリール機構の耐久性を向上させることができるもので、衣類等のしわ伸ばしを行うアイロン装置に限らず、電線巻取り装置を有する各種機器に適用できる。
【図面の簡単な説明】
【００２３】
【図１】本発明の実施の形態１におけるアイロン装置の要部断面図
【図２】同アイロン装置のヒール状態に載置した図
【図３】従来のアイロン装置の主要断面図
【符号の説明】
【００２４】
１  ヒータ
２  ベース
３  把手
４  電源コード
５  コードリール装置
６、６ａ  リール
７、７ｂ  リールケース
７ｃ  突出部
８  ゼンマイ
９、９ａ  置換穴
１０  引出し口
１１  ロック金具
１２  ロックレバーバネ
１３  巻取りボタン
１４  プラグ
１５  巻取りボタンバネ
１６  空気層
【図１】
2007313067.tif 000003
【図２】
2007313067.tif 000004
【図３】
2007313067.tif 000005